(57)【要約】【課題】薬を服用時毎に仕分けして収納した状態において容易に持ち運ぶことができる携帯用薬収納ポーチを提供する。【解決手段】基材２と、基材２の裏面２ａ上に設けられた複数の薬収納袋８とを備え、薬収納袋８は、２以上の列をなして配列され、基材２は、薬収納袋８の列の間を谷折りすることによって折畳み可能に構成されていることを特徴とする。【選択図】図１
0003152286.tif 000002
【実用新案登録請求の範囲】
【請求項１】
基材と、基材の裏面上に設けられた複数の薬収納袋とを備え、
前記薬収納袋は、２以上の列をなして配列され、
前記基材は、薬収納袋の列の間を谷折りすることによって折畳み可能に構成されている携帯用薬収納ポーチ。
【請求項２】
前記基材には、前記折畳んだ状態を維持可能とする固定具が設けられていることを特徴とする請求項１記載の携帯用薬収納ポーチ。
【請求項３】
前記薬収納袋は、各列に２又は３ずつ設けられていることを特徴とする請求項１又は２記載の携帯用薬収納ポーチ。
【請求項４】
前記薬収納袋の外表面は、外側から収納された薬を視認可能な素材から構成されていることを特徴とする請求項１乃至３いずれか記載の携帯用薬収納ポーチ。
【請求項５】
前記薬収納袋は、底辺が前記基材に付着する四角状の外表面と、一辺が前記基材に付着し、他の辺が前記外表面の各側辺に付着する一対の三角状の側面と、からなり、
前記外表面の裏面の上端近傍は、該側辺が内側に折込むことによって、前記基材に当接可能に構成され、
前記外表面の裏面の上端近傍及びそれが当接する基材部分には、前記当接状態を維持可能とする一対の固定具が設けられていることを特徴とする請求項１乃至４いずれか記載の携帯用薬収納ポーチ。
【考案の詳細な説明】
【技術分野】
【０００１】
本考案は、薬を服用時毎に仕分けして収納した状態において持ち運ぶことができる携帯用薬収納ポーチに関するものである。
【背景技術】
【０００２】
従来から、特に高齢者等の患者の薬の飲み忘れや誤飲を防止する方法として、服用する薬を予め服用時期毎に仕分けして保管することにより、薬の服用時の間違いや、薬の飲み忘れを防止する薬収納具が知られている（特許文献１参照）。
【先行技術文献】
【特許文献】
【０００３】
【特許文献１】特開２００２−２９１８４８号公報
【考案の概要】
【考案が解決しようとする課題】
【０００４】
しかしながら、従来の薬収納具は、旅行などの薬を携行する必要がある場合を考慮していないため、旅行などの外出時に容易に持ち運ぶことができず、外出先における薬の飲み忘れや誤飲を防止することができないものである。
【０００５】
そこで、本考案は、薬を服用時毎に仕分けして収納した状態において容易に持ち運ぶことができる携帯用薬収納ポーチを提供することを目的とする。
【課題を解決するための手段】
【０００６】
以上の目的を達成するため、本考案に係る携帯用薬収納ポーチは、基材と、基材の裏面上に設けられた複数の薬収納袋とを備え、前記薬収納袋は、２以上の列をなして配列され、前記基材は、薬収納袋の列の間を谷折りすることによって折畳み可能に構成されていることを特徴とする。このように、本発明に係る携帯用薬収納ポーチによれば、薬を複数の薬収納袋に仕分けして収納した状態で基材を折畳むことによって小型にすることができるため、薬を容易に持ち運ぶことができる。
【０００７】
本考案に係る携帯用薬収納ポーチにおいて、前記基材には、前記折畳んだ状態を維持可能とする固定具が設けられていることを特徴としても良い。
【０００８】
また、前記薬収納袋は、各列に２又は３ずつ設けられていることを特徴としても良い。
【０００９】
また、前記薬収納袋の外表面は、外側から収納された薬を視認可能な素材から構成されていることを特徴としても良く、このように、薬収納袋に収納されている薬を視認可能とすることにより、より効果的に薬の飲み忘れを防止することができる。
【００１０】
さらに、前記薬収納袋は、底辺が前記基材に付着する四角状の外表面と、一辺が前記基材に付着し、他の辺が前記外表面の各側辺に付着する一対の三角状の側面とからなり、前記外表面の裏面の上端近傍は、該側辺が内側に折込むことによって、前記基材に当接可能に構成され、前記外表面の裏面の上端近傍及びそれが当接する基材部分には、前記当接状態を維持可能とする一対の固定具が設けられていることを特徴としても良く、薬収納袋をこのように形成することにより、薬の取り出し口の開口を広くして薬の取り出しを容易にすることができると共に、薬を確実に保持して脱落を防止することができる。
【考案の効果】
【００１１】
以上のように、本考案によれば、薬を服用時毎に仕分けして収納した状態において容易に持ち運ぶことができる携帯用薬収納ポーチを提供することができる。
【図面の簡単な説明】
【００１２】
【図１】本考案の実施形態に係る携帯用薬収納ポーチを展開した状態を示す斜視図
【図２】本実施形態に係る携帯用薬収納ポーチの一部を折畳んだ状態を示す正面図
【図３】本実施形態に係る携帯用薬収納ポーチを折畳んだ状態を示す正面図
【考案を実施するための形態】
【００１３】
次に、本考案の実施形態に係る携帯用薬収納ポーチについて、図面に基づいて説明する。本実施形態に係る携帯用薬収納ポーチ１は、図１に示すように、横長四角形状の基材２と、基材２の裏面２ａ上において設けられた薬収納袋８と、基材２の折畳んだ状態を維持可能な固定具１０とから構成されている。
【００１４】
基材２は、布などの可撓性を有する素材で形成され、一の側端２ｃから所定の間隔を空けて薬収納袋８が縦横３×３列の状態で配列して設けられており、この側端２ｃから薬収納袋８が設けられている領域までの領域は、後述するように、基材２を折畳んだ際の蓋部として機能する。基材２の裏面２ａにおける薬収納袋８の各縦列の間は、後述するように、基材２の上端から下端に亘ってそれぞれ第１谷折り部２ｅ及び第２谷折り部２ｆとして機能し、薬収納袋８が設けられている領域及び薬収納袋８が設けられていない領域の境界部分は、後述するように、基材２の上端から下端に亘って第３谷折り部２ｇとして機能する。また、図２に示すように、他の側端２ｄと第１の谷折り部２ｅとの間における薬収納袋８の反対側の基材２の表面２ｂには、カードなどを挿入して保持可能なカード収納部６が形成されている。
【００１５】
薬収納袋８は、上端８ｆに縁布が付された透明な合成樹脂シートから形成され、底辺８ｂが基材２に付着する四角状の外表面８ａと、一辺８ｄが基材２に付着し、他の辺８ｅが外表面８ａの各側辺に付着する一対の三角状の側面８ｃとから形成されており、これら外表面８ａと両側面８ｃ、８ｃによって開口部９を形成している。外表面８ａの裏面の上端８ｆ近傍は、外表面８ａの各側辺が内側に折込むことによって、基材２に当接可能に構成されている。その基材２に当接される薬収納袋８の外表面８ａの裏面の上端８ｆ近傍には、雄型面ファスナ４ａが設けられ、基材２の当接する位置には、雄型面ファスナ４ａと対となる雌型面ファスナ４ｂが設けられており、これにより、開口部９の閉口状態を維持できる。
【００１６】
固定具１０は、基材２の側端２ｃの中央部に形成されたループ１０ａと、基材２の表面２ｂにおいて基材２を折畳んだ際にループ１０ａと整合する位置に形成された釦１０ｂとから構成されている（図３参照）。
【００１７】
次に、本実施形態に係る携帯用薬収納ポーチ１の使用態様について、図面に基づいて説明する。本実施形態に係る携帯用薬収納ポーチ１は、各縦列に設けられた３つの薬収納袋８を、例えば朝、昼、晩に分け、薬収納袋８の横列をそれぞれ１日目、２日目、３日目と分けるなどして、薬を服用時毎に仕分けして収納した後、基材２の第１谷折り部２ｅ、第２谷折り部２ｆ及び第３谷折り部２ｇを順次折畳むことによって基材２を小型化し、基材２に形成されたループ１０ａと釦１０ｂとを係合させて折畳み状態を維持することによって、小型のポーチとして持ち運ぶことができる。また、図２に示すように、基材２の第１谷折り部２ｅを折畳んだ状態において、基材２の表面２ｂに形成されたカード収納部６に診察券やカード型保険証などを収納することにより、薬と共に持ち運ぶことができる。
【００１８】
本実施形態に係る携帯用薬収納ポーチ１においては、薬収納袋８の上端８ｆの開閉を面ファスナ４ａ、４ｂによって行うため、薬収納袋８の開閉を容易に行うことができる。また、薬収納袋８には、マチ部として機能する一対の三角状の側面８ｃが形成されているため、薬収納袋８の開口部９の開口を広くして薬を取りやすくすることができる。さらに、薬収納袋８の上縁８ｆに付された縁布を服用時期毎に異なる色とすることにより、服用時期の識別をより容易にして、薬の誤飲や飲み忘れを効果的に防止することができる。
【００１９】
本実施形態に係る携帯用薬収納ポーチ１において、薬収納袋８が縦横３×３列の状態で配列して設けられるとしたが、これに限定するものではなく、薬収納袋８は必要に応じて増減させることができる。また、薬収納袋８は透明な合成樹脂シートから形成されるとしたが、これに限定するものではなく、例えば薬収納袋８の外表面８ａをメッシュ製にすることにより、薬収納袋８に収納された薬を外側から視認することができるようにしても良い。
【符号の説明】
【００２０】
１      携帯用薬収納ポーチ
２      基材
８      薬収納袋
９      開口部
１０    固定具
【図１】
0003152286.tif 000003
【図２】
0003152286.tif 000004
【図３】
0003152286.tif 000005